(57)【要約】【課題】  使い捨てではなく、必要に応じて便器に容易に設置して使用でき、また、格納も容易な便採集具を提供すること。【解決手段】  便採集具１０は便鉢部２に配置され、上面に大便を受ける便受部１１と、この便受部１１の両側から上方に向け延設される連結部１４，１５と、この連結部１４，１５の端部から水平方向に延設され、前記便鉢部２の開口上面３の相対する二個所に載置される一対の平板状の載置部１２，１３とが弾力性と耐水性とを備えたポリプロピレン、ポリ塩化ビニル等の弾力性のある合成樹脂素材の略方形の平薄板を略逆Ω字状に屈曲した状態に形成される。便採集具１０の不使用時には載置部１２には孔部１６を設けて壁のフックに係止したり、スタンド部材２０に立設することができる。【選択図】  図１
0003112682.tif 000002
【実用新案登録請求の範囲】
【請求項１】
便鉢部に配置され、上面に大便を受ける便受部と、該便受部の両側から連続して延設され、便鉢部上面の相対する二個所に載置される一対の平板状の載置部と、前記便受部と前記載置部とを連結する連結部とを備え、前記便受部、載置部及び連結部とは弾性を備えた耐水性薄板材で一体に形成されたことを特徴とする便採集具。
【請求項２】
前記載置部は、便鉢部上面と便座との間に配置されることを特徴とする請求項１の便採集具。
【請求項３】
前記便採集具は、中央部を便受部、その両端を受便部より幅狭の連結部及び載置部として連続して形成した薄板を湾曲して形成していることを特徴とする請求項１または２の便採集具。
【請求項４】
床上に配置され、前記便採集具を差し込み便採集具を床上に立設配置するスタンド部材を備えたことを特徴とする請求項１ないし４のいずれかの便採集具。
【考案の詳細な説明】
【技術分野】
【０００１】
本考案は便採集具に係り、特に洋式水洗便器に取り付けられ、検便用の便を採集する際に使用する便採集具に関する。
【背景技術】
【０００２】
従来から、検便用の便を採集するとき、便器の鉢面にトイレットペーパ等を敷き、その上に便を落として配置し検体を採集するようにしている。
【０００３】
ところが、洋式水洗便器の場合通常の使用態様で便器に着座して排便すると、便は便器の斜面から溜水部に落下してしまう。このため、採便に際しては通常とは逆の方向を向いて着座し、便を溜水部に落下しないようにして採集することなどが勧められている。しかし、洋式水洗便器の構成例えば、便器にシャワー設備が取り付けられている場合には、タンクが邪魔をして上記逆の方向を向いて着座することができないし、できたとしても不自然な姿勢を強いられるため採便が簡単ではない。
【０００４】
そこで、従来から以下の採便用具が提案されている。特許文献１及び２には、水に溶ける紙等で形成した帯状帯を便座の短径を横切り、かつ便器内で適宜の緩みを形成できる長さに形成し、帯状帯の両端部に接着部を設けたものが記載されている。
【０００５】
また、特許文献３には、紙製の便器への固定部材と、便受け部材とからなり便受け部材には、便受け用の谷部を形成したものが記載されている。
【０００６】
さらに、特許文献３には、便鉢部内に挿入され上面に大便を受ける便受部と、便鉢部の上面載置状態に掛止される掛止部と、掛止部の内側端から立ち下がり掛止部と便受部とをつなぐ立ち下がり部とを有し、便受部には尿切り用の貫通孔が形成されたものが記載されている。
【特許文献１】実開平０５−４７８５８号公報
【特許文献２】特開２００４−８５５２０号公報
【特許文献３】実開平０５−９２７２３号公報
【特許文献４】特開２０００−２７１０４３号公報
【考案の開示】
【考案が解決しようとする課題】
【０００７】
しかしながら、前記特許文献１ないし３のものは紙製であり、使用後に廃棄するものであり、一度しか使用することができない。また、特許文献４のものにあっては、常時便座に取り付けたままで使用することが前提となるから、常時採便を行う便器でなければ使用しにくく、家庭の便所や一般病院の便所のように、必要に応じて随時採便を行う便器には使用できない。
【０００８】
そこで本考案は、使い捨てではなく必要に応じて便器に容易に設置して使用でき、また格納も容易な便採集具を提供することを目的とする。
【課題を解決するための手段】
【０００９】
請求項１の考案は、便鉢部に配置され、上面に大便を受ける便受部と、該便受部の両側から連続して延設され、便鉢部上面の相対する二個所に載置される一対の平板状の載置部と、前記便受部と前記載置部とを連結する連結部とを備え、前記便受部、載置部及び連結部とは弾力性を備えた耐水性薄板材で一体に形成された便採集具である。
【００１０】
請求項２の考案は、請求項１の便採集具において、前記載置部は便鉢部上面と便座との間に配置されることを特徴とする。
【００１１】
請求項３の考案は、請求項１または２の便採取具において、前記便採集具は、中央部を便受部、その両端を便受部より幅狭の連結部及び載置部として連続して形成した薄板を湾曲して形成していることを特徴とする。
【００１２】
請求項４の考案は、請求項１ないし３のいずれかの便採集具において、床上に配置され、前記便採集具を差し込み便採集具を床上に立設配置するスタンド部材を備えたことを特徴とする。
【考案の効果】
【００１３】
請求項１の考案によれば、便採集具は、便受部、載置部及び連結部とは弾力性を備えた耐水性素材で一体に形成されているから、便鉢部に容易に取り付け取り外しができ、複数回の使用に耐える。また、便採集具は弾力性を備えるから便採集具使用後に撓ませて水洗便器内に差し入れ同便器内の水で洗浄することができる
【００１４】
請求項２の考案によれば、載置部を便鉢部と便座との間に挟むことができ、便採集具を便鉢部と便座との間に固定し安定して配置することができる。
【００１５】
請求項３の考案によれば、便採集具は、その載置部を便受部より幅狭に形成しているから、便座の下部から突出配置される台座部の間に配置できる。また、このような形状を採用することにより、既存の洋式水洗便所に適合させることができるほか、採便面積を確保することができる。また、薄板が湾曲形成されてなるから、折れ曲がり部や突出部がないので清掃を容易に行うことができる。
【００１６】
請求項４の考案によれば、スタンド部材を備えるものとしたから、便採集具を使用しないときには便所の床上にスタンドを用いて立設配置することができ、不使用時に邪魔にならない。また、スタンド部材に便採集具を立設したままスタンド部材を持って移動することができ、移動に際して便採集具を素手で触れなくてもすむ。
【考案を実施するための最良の形態】
【００１７】
以下本考案を実施するための最良の形態としての実施例を図面に基づいて説明する。
【実施例】
【００１８】
図１は実施の形態例に係る便採集具の便鉢部への設置状態を示す斜視図、図２は図１に示した便採集具を示す図であり、（Ａ）は正面図、（Ｂ）は平面図、（Ｃ）は側面図、図３は図１に示した便採集具を使用する手順を示した図、図４は図１に示した便採集具のスタンドへの設置状態を示す斜視図、図５は図１に示した便採集具を壁のフック部材に掛けた状態を示す斜視図である。
【００１９】
本例において、便採集具１０は、図１に示すように、洋式水洗便器１上に配置される。ここで洋式水洗便器１は、便鉢部２、便座４、便器蓋５を備えている。便採集具１０は、図２に示すように、便採集具１０は便鉢部２に配置され、上面に大便を受ける便受部１１と、この便受部１１の両側から上方に向け延設される連結部１４，１５と、この連結部１４，１５の端部から水平方向に延設され、前記便鉢部２の開口上面３の相対する二個所に載置される一対の平板状の載置部１２，１３とを備えている。本例において、前記便受部１１、載置部１２，１３及び連結部１４，１５とは弾力性と耐水性とを備えたＡＢＳ，ポリエステル等の弾力性のある合成樹脂素材の略方形の平薄板を略逆Ω字状に屈曲した状態に形成されている。本例では、射出成形機を用いて、上記合成樹脂を薄板かつ湾曲に成形した。
【００２０】
本例では便採集具１０の載置部１２，１３は、図１に示すように、便鉢部２の開口上面３と便座４との間に配置できるように同一平面上に翼状に左右に延びるように形成され、便鉢部２の開口上面３と便座４との間に挟まれて位置決めできるようになっている。
【００２１】
また、本例では、載置部１２，１３を便受部１１より幅狭に形成し、その輪郭を連続して中央部が膨出する形状とした。このような形状により、載置部１２，１３の幅寸法を便座４の下部から複数突出配置される台座部の間の寸法より小さくして台座部の間に配置できるものとした。また、このような形状を採用することにより、既存の洋式水洗便所に適合させることができるほか、採便面積を確保することができ、薄板が湾曲形成されてなるから、折れ曲がり部や突出部がないので清掃を容易に行うことができる。
【００２２】
また、本例では、便採集具１０は、合成樹脂薄板を湾曲形成して形成され、その表面に屈曲部、凹部、突出部等が形成されない滑らかな状態に形成されている。
【００２３】
このような構成により、本例に係る便採集具１０は、洋式水洗便器１に設置したときには配置された便の重さで変形することなく便を採集することができる他、使用後において自由に湾曲変形させることができ、便鉢部２に差し込み便鉢部２内において水で洗浄することができる。この際便採集具１０の表面には屈曲部、凹部、突出部等がないから洗浄を確実に行うことができる。
【００２４】
また、本例では、便採集具１０の一方の載置部１２には、孔部１６が形成されており、図５に示すように、壁３０などに配置したフック３１に吊り下げることができるようになっている。
【００２５】
さらに、本例に係る便採集具は、図４に示すように、床状に配置され、前記便採集具の連結部を差し込み便採集具を立設配置するスタンド部材２０を備えることができる。
【００２６】
このスタンド部材２０は、便採集具１０と同じＡＢＳ，ポリエステル等の合成樹脂製薄板を床面上に立設可能な半円筒形状に形成したスタンド本体２１に、前記便採集具１０の連結部１４，１５を差し込む係止凹部２２，２３を形成する他、持ち運び用の長円形把持穴２５を形成したものである。また、本例では、前記係止凹部２２，２３を形成するスタンド本体２１の外側端縁２１aを内側端縁２１ｂより低く形成して、便採集具１０の設置を案内するようにしている。本例では、スタンド部材２０に便採集具を立設したままスタンド部材２０の長円形把持穴２５を把持して移動することができ、移動に際して便採集具を素手で触れなくてもすむ。
【００２７】
次に本例に係る便採集具１０の使用方法を図４に基づいて説明する。まず洋式水洗便器１の便器蓋５と便座４とを持ち上げ（図４（Ａ））、便採集具１０を便鉢部２の短径に沿うように配置する（図４（Ｂ）、（Ｃ））。次に便採集具１０の載置部１２，１３が便鉢部２の開口上面３に設置した後便座４を戻し、採便を行う（図４（Ｅ））。採便に際しては、便採集具１０の便受部１１にトイレットペーパ、紙製の水溶性採便器などを配置して行えば、採便後の清掃が容易となる。採便終了後、検体を採集した後再び便座４を持ち上げ、便採集具１０を取り外す（図４（Ｆ））。本例に係る便採集具１０では、その後、便採集具１０を変形して、便鉢部２内で清掃を行い、図３に示すように、スタンド部材２０に立設しておくか、図５に示すように便採集具１０の孔部１６を壁３０のフック３１に係止しておくことができる。
【００２８】
以上説明したように、本例に係る便採集具によれば便受部、載置部及び連結部とは弾力性を備えた耐水性素材で一体に形成されているから、便鉢部に容易に取り付け取り外しができ、複数回の使用に耐え、載置部を便鉢部と便座との間に挟んで固定することができ、便採集具を安定して便鉢部に配置することができる。また便採集具使用後に便器内で水洗い清掃を容易に行うことができる他、便採集具を使用しないときには、便所の壁等に配置したフックなどに引っ掛けたり、便所の床上にスタンドを用いて立設配置することができ、不使用時に使用者の邪魔にならない。
【図面の簡単な説明】
【００２９】
【図１】実施の形態例に係る便採集具の便鉢部への設置状態を示す斜視図である。
【図２】図１に示した便採集具を示す図であり、（Ａ）は正面図、（Ｂ）は平面図、（Ｃ）は側面図である
【図３】図１に示した便採集具を使用する手順を示した図である。
【図４】図１に示した便採集具のスタンドへの設置状態を示す斜視図である。
【図５】図１に示した便採集具を壁のフック部材に掛けた状態を示す斜視図である。
【符号の説明】
【００３０】
１・・・洋式水洗便器
２・・・便鉢部
３・・・開口上面
４・・・便座
５・・・便器蓋
１０・・・便採集具
１１・・・便受部
１２，１３・・・載置部
１４，１５・・・連結部
１６・・・孔部
２０・・・スタンド部材
２１・・・スタンド本体
２１a・・・外側端縁
２１ｂ・・・内側端縁
２２，２３・・・係止凹部
２５・・・長円形把持穴
３０・・・壁
３１・・・フック
【図１】
0003112682.tif 000003
【図２】
0003112682.tif 000004
【図３】
0003112682.tif 000005
【図４】
0003112682.tif 000006
【図５】
0003112682.tif 000007
【手続補正書】
【提出日】平成17年6月1日(2005.6.1)
【手続補正１】
【補正対象書類名】実用新案登録請求の範囲
【補正対象項目名】全文
【補正方法】変更
【補正の内容】
【実用新案登録請求の範囲】
【請求項１】
便鉢部に配置され、上面に大便を受ける便受部と、該便受部の両側から連続して延設され、便鉢部上面の相対する二個所に載置される一対の平板状の載置部と、前記便受部と前記載置部とを連結する連結部とを備え、前記便受部、載置部及び連結部とは弾性を備えた耐水性薄板材で一体に形成されたことを特徴とする便採集具。
【請求項２】
前記載置部は、便鉢部上面と便座との間に配置されることを特徴とする請求項１の便採集具。
【請求項３】
前記便採集具は、中央部を便受部、その両端を受便部より幅狭の連結部及び載置部として連続して形成した薄板を湾曲して形成していることを特徴とする請求項１または２の便採集具。
【請求項４】
床上に配置され、前記便採集具を差し込み便採集具を床上に立設配置するスタンド部材を備えたことを特徴とする請求項１ないし３のいずれかの便採集具。